(57)【要約】【課題】ＩＰ電話用プロトコルを用いて送受信されている電話サービスで通信されるリアルタイム情報のアプリケーション情報をモニタすることができるシステム及び方法を提供する。【解決手段】受信した電話サービスで通信されるリアルタイム情報をＲＴＰパケットによってＩＰ網３へ送信するユーザボックス１と、ＩＰ網３に接続され且つＲＴＰパケットをモニタすることができるパケット情報識別装置２とを有する。ユーザボックス１は、通信先の他のユーザボックス１から受信しているＩＰストリームの通信セッションについてパケットを連続的にキャプチャし、該ＩＰストリーム単位で、ＲＴＰパケットのヘッダ情報におけるアプリケーション識別情報を取得し、これに基づいて、ユーザボックス内のＲＴＰパケット組立部のジッタバッファサイズ及びバッファ制御アルゴリズムを変更させる手段を有する。【選択図】      図２
2004356983.tif 000002
【特許請求の範囲】
【請求項１】
ＩＰ網と、電話サービスで通信されるリアルタイム情報を送信する端末との間に接続され、受信した該リアルタイム情報をＩＰ電話用プロトコルに基づいて制御されるＲＴＰパケットによって前記ＩＰ網へ送信するユーザボックスと、
前記ＩＰ網に接続され、前記ＲＴＰパケットをモニタすることができるパケット情報識別装置とを有し、
前記ユーザボックスは、前記ＲＴＰパケットのヘッダ情報に、前記電話サービスで通信されるリアルタイム情報に基づくアプリケーション種別毎のアプリケーション識別情報を付与するＲＴＰパケット化手段を有し、
前記パケット情報識別装置は、ＩＰストリームから抽出したＲＴＰポート番号対からなる通信セッションについてパケットを連続的にキャプチャし、該ＩＰストリーム単位で、前記ＲＴＰパケットのヘッダ情報におけるアプリケーション識別情報を取得するアプリケーション情報判定手段を有することを特徴とするパケット情報識別システム。
【請求項２】
前記電話サービスで通信されるリアルタイム情報のアプリケーション種別は、音声情報、ＦＡＸ通信情報、モデム通信情報、又はＦＡＸ／モデム通信情報に区別されていることを特徴とする請求項１に記載のパケット情報識別システム。
【請求項３】
前記ＲＴＰパケット化手段は、同一のＲＴＰポート番号対からなる通信セッションについてアプリケーション情報が変更された際にのみ、前記アプリケーション識別情報を付与したＲＴＰパケットを所定の数だけ連続的に送信することを特徴とする請求項１又は２に記載のパケット情報識別システム。
【請求項４】
前記パケット情報識別装置は、前記ＲＴＰポート番号対からなる通信セッションについて、前記アプリケーション識別情報と、パケット受信間隔と、パケット長に関する情報とを蓄積する判定情報蓄積手段を更に有することを特徴とする請求項１から３のいずれか１項に記載のパケット情報識別システム。
【請求項５】
ＩＰ網と、電話サービスで通信されるリアルタイム情報を送信する端末との間に接続され、受信した該リアルタイム情報をＩＰ電話用プロトコルに基づいて制御されるＲＴＰパケットによって前記ＩＰ網へ送信するユーザボックスと、
前記ＩＰ網に接続され、前記ＲＴＰパケットをモニタすることができるパケット情報識別装置とを有し、
前記ユーザボックスが、ＲＴＰパケット化手段を用いて、前記ＲＴＰパケットのヘッダ情報に、前記電話サービスで通信されるリアルタイム情報に基づくアプリケーション種別毎のアプリケーション識別情報を付与し、
前記パケット情報識別装置が、ＩＰ電話用プロトコル解析判定手段を用いて、ＩＰストリームから抽出したＲＴＰポート番号対からなる通信セッションについてパケットを連続的にキャプチャし、該ＩＰストリーム単位で、前記ＲＴＰパケットのヘッダ情報におけるアプリケーション識別情報を取得することを特徴とするパケット情報識別方法。
【請求項６】
前記電話サービスで通信されるリアルタイム情報のアプリケーション種別は、音声信号、ＦＡＸ信号、モデム信号、又は、ＦＡＸ／モデム信号に区別されていることを特徴とする請求項５に記載のパケット情報識別方法。
【請求項７】
前記ＲＴＰパケット化手段は、同一のＲＴＰポート番号対からなる通信セッションについてアプリケーション情報が変更された際にのみ、前記アプリケーション識別情報を付与したＲＴＰパケットを所定の数だけ連続的に送信することを特徴とする請求項５又は６に記載のパケット情報識別方法。
【請求項８】
前記パケット情報識別装置は、前記ＲＴＰポート番号対からなる通信セッションについて、前記アプリケーション識別情報と、パケット受信間隔と、パケット長に関する情報とを蓄積する判定情報蓄積手段を更に有することを特徴とする請求項５から７のいずれか１項に記載のパケット情報識別方法。
【発明の詳細な説明】
【０００１】
【発明の属する技術分野】
本発明は、ＩＰ（Ｉｎｔｅｒｎｅｔ  Ｐｒｏｔｏｃｏｌ）網におけるパケット情報識別方法及びシステムに関する。
【０００２】
特に、ＩＴＵ−Ｔ  Ｈ．３２３、又は、ＩＥＴＦ（Ｉｎｔｅｒｎｅｔ  Ｅｎｇｉｎｅｅｒｉｎｇ  Ｔａｓｋ  Ｆｏｒｃｅ：インターネット技術標準化委員会）ＳＩＰ（Ｓｅｓｓｉｏｎ  Ｉｎｉｔｉａｔｉｏｎ  Ｐｒｏｔｏｃｏｌ：セッション開始プロトコル）に基づいて制御されるパケットＲＴＰ（Ｒｅａｌ−ｔｉｍｅ  Ｔｒａｎｓｐｏｒｔ  Ｐｒｏｔｏｃｏｌ）ポート番号対におけるＩＰ呼のアプリケーション情報を識別するものに関する。
【０００３】
【従来の技術】
エンドユーザがＩＰ網にアクセスする手段は、無線又は有線によるインフラストラクチャを問わず、年々その高性能化が進み、より高速度なデータ転送速度によるアクセス環境が提供されつつある。更に、このような高速なＩＰ網の急速な普及に伴い、そのネットワーク上でのＶｏＩＰ（Ｖｏｉｃｅ  ｏｖｅｒ  ＩＰ）技術に基づくリアルタイムな会話サービスが注目されている。リアルタイムな会話サービスの１つであるＩＰ電話サービスにおいては、当該サービス用のプロトコルにより、使用する音声符号化方式情報が宛先の装置へ送信され、送信側装置と受信側装置との間において合意が取られた音声符号化方式情報を用いたＲＴＰ通信を互いに行う。
【０００４】
このとき、網側のシステムについては、送受信されている情報のアプリケーション種別を把握したい場合がある。その種別によって、経路制御をしたり、課金条件を変更したい場合があるからである。従って、ＩＰ網における装置間のアプリケーション情報の識別に関する技術が必要とされている。以下に、従来の技術について列挙する。
【０００５】
（１）ＩＰパケットルーティングの優先制御情報の使用
送信側端末が、ＩＰレイヤよりも上位レイヤのアプリケーション情報ごとに、ＩＰレイヤのルーティングに関する優先制御情報を、当該パケットに設定する。このパケットの優先制御情報をモニタすることにより、アプリケーション情報の識別を行うことができる。
【０００６】
（２）既存のパケットヘッダ情報の使用
ＲＴＰパケットヘッダ情報の一例には、通信中信号の音声符号化種別を示すＰＴ（Ｐａｙｌｏａｄ  Ｔｙｐｅ）がある。一般に、音声符号化方式種別は、通信を行うアプリケーション情報に依存していることから、そのＰＴ情報をモニタすることにより、アプリケーション情報の識別を行うことができる。
【０００７】
（３）アナログ信号に変換することによる識別
ＩＰ電話ゲートウェイにおいてフォーマット変換されたアプリケーション情報信号を、電話網側交換機においてアナログ信号に戻してから識別することができる。
【０００８】
図１は、従来のシステム構成図である。
【０００９】
図１によれば、ユーザボックス１は、ＩＰ電話用プロトコルによって、電話サービスで通信されるリアルタイム情報とＩＰパケットとの変換を実現するものである。ユーザボックス１は、ＩＰインタフェース部１４を介してＩＰ網３に接続され、端末回線（ＲＪ１１）接続インタフェース部１１を介して電話端末６、ＦＡＸ端末７、モデム端末８及びＰＣ端末９に接続されている。ここで、ＰＣ端末９はデータ情報を送受信し、その他の端末６、７及び８は電話サービスで通信されるリアルタイム情報を送受信する。
【００１０】
端末回線（ＲＪ１１）接続インタフェース部１１によって受信された電話サービスで通信されるリアルタイム情報は、ＲＴＰパケット化部１２によってパケットに変換され、ＩＰインタフェース部１４へ通知される。また、ＩＰインタフェース部１４によって受信されたパケットは、ＲＴＰパケット組立部１３によって電話サービスで通信されるリアルタイム情報に変換され、端末回線（ＲＪ１１）接続インタフェース部１１へ通知される。
【００１１】
尚、ユーザボックス１は、ＩＰ電話通信のＲＴＰセッション制御のために、既存のＩＰ電話用プロトコル変換装置と同様に、ＩＰ電話呼処理部１５及びユーザプロファイル管理部１６も有する。このＲＴＰセッション制御に基づいて、ＲＴＰパケット化部１２とＲＴＰパケット組立部１３とが制御される。
【００１２】
【発明が解決しようとする課題】
前述したように、従来の技術によれば、ＩＰ電話サービスにおいてリアルタイムに送受信されるパケットストリームをモニタすることによって、電話サービスで通信されるリアルタイム情報かデータ情報かを識別することは可能である。しかし、電話サービスで通信されるリアルタイム情報が、音声情報、ＦＡＸ通信情報、モデム通信情報、又はＦＡＸ／モデム通信情報のいずれであるかを識別することはできない。電話サービスで通信される同じリアルタイム情報であっても、それぞれの種別によって、最適な品質補償を伴う経路制御をしたり、課金条件を変更したい場合がある。
【００１３】
前述の（１）ＩＰパケットルーティングの優先制御情報の使用によれば、アプリケーション通信の変更と、優先制御情報の変更とは独立であり、必ずしもそれぞれの更新タイミングが同期しているとはいえないため、アプリケーション情報の識別を行うことができない。
【００１４】
前述の（２）既存のパケットヘッダ情報の使用によれば、音声符号化方式種別とアプリケーション情報種別とは独立であるため、同一の音声符号化方式種別で異なるアプリケーション情報の通信を行う場合には識別することができない。
【００１５】
前述の（３）アナログ信号に変換することによる識別によれば、常に呼を一度終端してフォーマット変換を行う必要があるために、アプリケーション情報の識別結果をパケットの経路制御に使用することができない。
【００１６】
そこで、本発明は、ＩＰ電話用プロトコルを用いて送受信される電話サービスで通信されるリアルタイム情報のアプリケーション情報をモニタすることができるシステム及び方法を提供することを目的とする。
【００１７】
【課題を解決するための手段】
本発明のパケット情報識別システムによれば、
ＩＰ網と、電話サービスで通信されるリアルタイム情報を送信する端末との間に接続され、受信した該リアルタイム情報をＩＰ電話用プロトコルに基づいて制御されるＲＴＰパケットによってＩＰ網へ送信するユーザボックスと、
ＩＰ網に接続され、ＲＴＰパケットをモニタすることができるパケット情報識別装置とを有し、
ユーザボックスは、ＲＴＰパケットのヘッダ情報に、電話サービスで通信されるリアルタイム情報に基づくアプリケーション種別毎のアプリケーション識別情報を付与するＲＴＰパケット化手段を有し、
パケット情報識別装置は、ＩＰストリームから抽出したＲＴＰポート番号対からなる通信セッションについてパケットを連続的にキャプチャし、該ＩＰストリーム単位で、ＲＴＰパケットのヘッダ情報におけるアプリケーション識別情報を取得するアプリケーション情報判定手段を有することを特徴とする。
【００１８】
本発明のパケット情報識別システムにおける他の実施形態によれば、電話サービスで通信されるリアルタイム情報のアプリケーション種別は、音声情報、ＦＡＸ通信情報、モデム通信情報、又はＦＡＸ／モデム通信情報に区別されていることも好ましい。
【００１９】
また、本発明のパケット情報識別システムにおける他の実施形態によれば、ＲＴＰパケット化手段は、同一のＲＴＰポート番号対からなる通信セッションについてアプリケーション情報が変更された際にのみ、アプリケーション識別情報を付与したＲＴＰパケットを所定の数だけ連続的に送信することも好ましい。
【００２０】
更に、本発明のパケット情報識別システムにおける他の実施形態によれば、パケット情報識別装置は、ＲＴＰポート番号対からなる通信セッションについて、アプリケーション識別情報と、パケット受信間隔と、パケット長に関する情報とを蓄積する判定情報蓄積手段を更に有することも好ましい。
【００２１】
本発明のパケット情報識別方法によれば、
ＩＰ網と、電話サービスで通信されるリアルタイム情報を送信する端末との間に接続され、受信した該リアルタイム情報をＩＰ電話用プロトコルに基づいて制御されるＲＴＰパケットによってＩＰ網へ送信するユーザボックスと、
ＩＰ網に接続され、ＲＴＰパケットをモニタすることができるパケット情報識別装置とを有し、
ユーザボックスが、ＲＴＰパケット化手段を用いて、ＲＴＰパケットのヘッダ情報に、電話サービスで通信されるリアルタイム情報に基づくアプリケーション種別毎のアプリケーション識別情報を付与し、
パケット情報識別装置が、ＩＰ電話用プロトコル解析判定手段を用いて、ＩＰストリームから抽出したＲＴＰポート番号対からなる通信セッションについてパケットを連続的にキャプチャし、該ＩＰストリーム単位で、ＲＴＰパケットのヘッダ情報におけるアプリケーション識別情報を取得することを特徴とする。
【００２２】
本発明のパケット情報識別方法における他の実施形態によれば、電話サービスで通信されるリアルタイム情報のアプリケーション種別は、音声情報、ＦＡＸ通信情報、モデム通信情報、又はＦＡＸ／モデム通信情報に区別されていることも好ましい。
【００２３】
また、本発明のパケット情報識別方法における他の実施形態によれば、ＲＴＰパケット化手段は、同一のＲＴＰポート番号対からなる通信セッションについてアプリケーション情報が変更された際にのみ、アプリケーション識別情報を付与したＲＴＰパケットを所定の数だけ連続的に送信することも好ましい。
【００２４】
更に、本発明のパケット情報識別方法における他の実施形態によれば、パケット情報識別装置は、ＲＴＰポート番号対からなる通信セッションについて、アプリケーション識別情報と、パケット受信間隔と、パケット長に関する情報とを蓄積する判定情報蓄積手段を更に有することも好ましい。
【００２５】
【発明の実施の形態】
以下では、図面を用いて、本発明の実施形態を詳細に説明する。
【００２６】
図２は、本発明によるシステム構成図である。
【００２７】
図２によれば、図１と比較して、パケット情報識別装置２が更にＩＰ網に接続されており、ユーザボックス１には通信信号判定部１７が更に備えられている。尚、電話サービスで通信されるリアルタイム情報としては、音声情報、ＦＡＸ通信情報及びモデム通信情報があるとする。
【００２８】
端末回線（ＲＪ１１）接続インタフェース部１１が、端末から受信した電話サービスで通信されるリアルタイム情報と共に、その物理回線インタフェース毎の識別情報を、通信信号判定部１７へ通知することができる。これにより、通信信号判定部１７は、電話サービスで通信される該リアルタイム情報のアプリケーション情報を取得することができる。
【００２９】
また、共通の物理回線インタフェースに各端末機器を接続し、ユーザが、通信信号判定部に１７に対して、その接続されたインタフェースに基づくアプリケーション情報を明示的に指定するものであってもよい。
【００３０】
更に、通信信号判定部１７が、呼び出し側のＦＡＸのＣａｌｌｉｎｇ  Ｔｏｎｅ  信号（ＣＮＧ信号：１１００Ｈｚ）を検出し、そのＣＮＧ信号検出以前は、「音声信号」と識別するものであってもよい。
【００３１】
通信信号判定部１７がアプリケーション情報を識別した後、ＲＴＰパケット化部１２が、ＲＴＰパケットペイロードにおけるアプリケーション識別情報を設定する。
【００３２】
図３は、ヘッダ情報の構成図を表す。
【００３３】
図３によれば、ＩＰヘッダ（２０ｂｙｔｅｓ）とＵＤＰ（Ｕｓｅｒ  Ｄａｔａｇｒａｍ  Ｐｒｏｔｏｃｏｌ）ヘッダ（８ｂｙｔｅｓ）とに続いて、ＲＴＰヘッダ（１２ｂｙｔｅｓ）がある。ＲＴＰヘッダには、マーカビットＭが設けられており、そのマーカＭをＯＮにすることにより、アプリケーション識別情報をＲＴＰ  ペイロード内に設定することができる。図２におけるＲＴＰパケット化部１２は、アプリケーション識別情報として、以下のような符号を付加することができる。
音声信号                    （００００００００）
ＦＡＸ通信信号              （０００００００１）
モデム通信信号              （００００００１０）
ＦＡＸ通信又はモデム通信信号（００００００１１）
【００３４】
このようなアプリケーション識別情報に応じて、ユーザボックスは、ＲＴＰパケット組立部において受信パケットを一時的に格納する、ジッタバッファのサイズ及びバッファ制御アルゴリズムを変更することができる。
（１）ジッタバッファサイズ
ＦＡＸ通信情報、モデム通信情報、ＦＡＸ通信又はモデム信号情報の場合は、音声情報の場合よりもジッタバッファ長の最大蓄積サイズを大きくする制御を行う。
（２）制御
ＦＡＸ通信情報、モデム通信情報、ＦＡＸ通信又はモデム信号情報の場合は、バッファからの当該音声符号化器への情報転送を開始するバッファサイズ下限値を時刻に応じて適用的に変更させるのではなく、固定値とする。
【００３５】
即ち、ＲＴＰヘッダ情報のマーカビットＭがＯＮであることは、アプリケーション種別が変更されたことを意味する。このマーカビットをＯＮにしたパケットは、通話開始時とアプリケーション変更イベント発生時とに、所定の数だけ連続して送信される。これにより、バースト的なパケット紛失に耐え得るようにしている。
【００３６】
図４は、パケット情報識別装置２の機能構成図である。
【００３７】
図４によれば、パケット情報識別装置２は、ＩＰインタフェース部２１と、トランスポートプロトコルヘッダ情報抽出部２２と、トランスポートプロトコル判定部２３と、トランスポートペイロード抽出部２４と、ＩＰ電話用プロトコル判定部２５と、ＩＰ電話用プロトコル解析判定部２６と、アプリケーション情報判定部２７と、キャプチャタイマ監視部２８と、判定情報蓄積部２９とを有する。
【００３８】
ＩＰパケットは、ＩＰインタフェース部２１を介してパケット情報識別装置２へ取り込まれる。取り込まれたＩＰパケットは、トランスポートプロトコルヘッダ情報抽出部２２において、当該ＩＰパケットのトランスポートヘッダの情報が抽出される。
【００３９】
次に、トランスポートプロトコル判定部２３により、ＵＤＰ、ＴＣＰ（Ｔｒａｎｓｍｉｓｓｉｏｎ  Ｃｏｎｔｒｏｌ  Ｐｒｏｔｏｃｏｌ）又はＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）の識別を行う。
【００４０】
ＵＤＰ、ＴＣＰ又はＳＣＴＰと識別されたパケット全体の情報は、トランスポートペイロード抽出部２４へ転送され、ＩＰ電話用プロトコル判定部２５において、ＩＰ電話用プロトコルであるＩＴＵ−Ｔ  Ｈ．３２３又はＩＥＴＦ  ＳＩＰの識別を行う。
【００４１】
識別されたプロトコルに応じて、ＩＰ電話用プロトコル解析判定部２６は、呼設定開始（セッションの開始情報：Ｈ．２２５  Ｓｅｔｕｐ（Ｈ．３２３）又はＩｎｖｉｔｅ（ＳＩＰ））メッセージから、送受信のＲＴＰポート番号情報を抽出する。ここで、抽出されるポート番号情報とは、ユーザボックスのＩＰ電話用呼処理部において設定されるＩＰ電話用プロトコルメッセージ内のパラメータで提示される情報とする。
【００４２】
また、キャプチャ対象のパケット収集時間は、ＩＰ電話用プロトコルの呼設定開始メッセージ受信による開始から、同じくＩＰ電話用プロトコルの呼設定終了（セッションの終了情報：Ｈ．２２５  Ｒｅｌｅａｓｅ  Ｃｏｍｐｌｅｔｅ（Ｈ．３２３）又はＢｙｅ（ＳＩＰ））メッセージ受信による当該セッション終了までとする。更に、呼設定終了（セッションの終了情報）メッセージ受信に関わらず、キャプチャタイマ監視部２８において予め設定されたタイマ時間発火によるキャプチャ終了機能を具備する。
【００４３】
抽出された送受信ＲＴＰポート番号情報は、アプリケーション情報判定部２７へ転送され、その情報セットに基づく当該ＲＴＰパケットヘッダ情報をトランスポートペイロード抽出部２４から抽出する。尚、同時にキャプチャ可能な１対１セットを単位とする情報数の最大は、パケット情報識別装置において予め設定可能とする。この時、同時にパケットペイロード長及びパケット受信間隔をそれぞれＲＴＰヘッダ情報から収集する。
【００４４】
アプリケーション情報判定部２７において、ＲＴＰヘッダ情報のマーカビットのみを常時監視する。マーカビットがＯＮの時のみ、ユーザボックスにおいて設定付与されたアプリケーション識別情報を抽出し、当該アプリケーション種別を識別する。
【００４５】
通信情報の判別処理は、通信中（呼設定終了（セッションの終了情報）メッセージ受信まで）常時行うものとし、アプリケーション識別情報の変更イベント毎に識別する。
【００４６】
識別された通信情報は、表１に示すフォーマットの形式により、判定情報蓄積部２９に蓄積される。
【表１】
2004356983.tif 000003
【００４７】
以下には、ＩＰ電話用呼処理部において設定されるＩＰ電話用プロトコル上のメッセージにおいて、同メッセージパラメータにより識別されるポート番号情報を示す。
【００４８】
（１）ＩＴＵ−Ｔ  Ｈ．３２３プロトコルの場合
（Ｈ．２４５  Ｏｐｅｎ  Ｌｏｇｉｃａｌ  Ｃｈａｎｎｅｌメッセージ情報中におけるパラメータ）
2004356983.tif 000004
【００４９】
尚、Ｆａｓｔ  Ｓｔａｒｔ設定時には、発信側Ｈ．２２５  Ｓｅｔｕｐメッセージ情報中のＨ．２４５  Ｏｐｅｎ  Ｌｏｇｉｃａｌ  Ｃｈａｎｎｅｌメッセージ情報、及び、着信側Ｈ．２２５  Ａｌｅｒｔ  メッセージ情報中のＨ．２４５  Ｏｐｅｎ  Ｌｏｇｉｃａｌ  Ｃｈａｎｎｅｌ  メッセージ情報とする。
【００５０】
２）ＩＥＴＦ  ＳＩＰの場合
（Ｉｎｖｉｔｅ又はＯＫメッセージ中におけるＳＤＰ（Ｓｅｓｓｉｏｎ  Ｄｅｓｃｒｉｐｔｉｏｎ  Ｐｒｏｔｏｃｏｌ）パラメータ）
2004356983.tif 000005
【００５１】
前述した本発明のパケット情報識別方法及びシステムにおける種々の実施形態によれば、本発明の技術思想及び見地の範囲の種々の変更、修正及び省略が、当業者によれば容易に行うことができる。前述の説明はあくまで例であって、何ら制約しようとするものではない。本発明は、特許請求の範囲及びその均等物として限定するものにのみ制約される。
【００５２】
【発明の効果】
以上、詳細に説明したように、本発明のパケット情報識別システム及び方法によれば、ＩＰ電話用プロトコルを用いて送受信されているリアルタイム情報のアプリケーション情報をモニタすることができる。これにより、例えば、同じ音声情報であっても、それぞれのアプリケーション種別によって、最適な品質補償を伴う経路制御をしたり、課金条件を変更することが可能となる。
【図面の簡単な説明】
【図１】従来のシステム構成図である。
【図２】本発明によるシステム構成図である。
【図３】本発明によるヘッダ情報の構成図を表す。
【図４】本発明によるパケット情報識別装置の機能構成図である。
【符号の説明】
１  ユーザボックス
１１  端末回線（ＲＪ１１）接続インタフェース部
１２  ＲＴＰパケット化部
１３  ＲＴＰパケット組立部
１４  ＩＰインタフェース部
１５  ＩＰ電話用呼処理部
１６  ユーザプロファイル管理部
２  パケット情報識別装置
２１  ＩＰインタフェース部
２２  トランスポートプロトコルヘッダ情報抽出部
２３  トランスポートプロトコル判定部
２４  トランスポートペイロード抽出部
２５  ＩＰ電話用プロトコル判定部
２６  ＩＰ電話用プロトコル解析判定部
２７  アプリケーション情報判定部
２８  キャプチャタイマ監視部
２９  判定情報蓄積部
３  ＩＰ網
【図１】
2004356983.tif 000006
【図２】
2004356983.tif 000007
【図３】
2004356983.tif 000008
【図４】
2004356983.tif 000009